(57)【特許請求の範囲】
【請求項１】
露光開口を挟んだ一方に設けられ、パトローネを収納するパトローネ収納室と、前記他方に設けられており、フイルム先端とフイルム後端との間の有効露光範囲に撮影コマ当たり２個となるパーフォレーション列を給送方向に沿って形成した未露光の写真フイルムを前記パトローネから引き出してロール状に収納するフイルムロール室と、前記パトローネに設けたスプールに係合し、巻き上げ操作のときに巻き上げ方向に回転操作され、その回転操作によりスプールをフイルム巻取り方向に回転させて前記未露光の写真フイルムをフイルム収納室から引き出して新たな撮影コマを前記露光開口にセットし、かつ露光済みの写真フイルムを前記パトローネ収納室に巻き上げる巻き上げノブと、前記パーフォレーション列に係合するスプロケットと、前記スプロケットが１撮影コマ分の長さに応じた回転をするごとに歩進してその時点の残りの撮影枚数を、外部に設けた枚数表示窓に表示する枚数表示板と、を備えたレンズ付きフイルムユニットにおいて、
該ユニットの外部のうちの前記枚数表示窓とは異なる位置に設けた巻込み完了表示窓と、
前記撮影済みの写真フイルムの全てを前記パトローネに巻き込んだ旨を前記巻込み完了表示窓に表示する表示位置と非表示位置との間で回転自在に設けられた巻込み完了表示板と、
前記巻き上げノブの巻き上げ方向への一回転に連係して前記巻込み完了表示板を前記非表示位置から表示位置に向けて歩進させるとともに、前記巻き上げノブの巻き上げ方向への回転量が、前記フイルムロール室に収納された写真フイルムの全部をパトローネの内部に巻き込む分の回転量に到達した時、又はその回転量を超えた時に、前記巻込み完了表示板を前記表示位置に到達させる歩進手段と、
から構成されていることを特徴とするレンズ付きフイルムユニット。
【請求項２】
前記歩進手段は、前記巻き上げノブと一緒に回転する一歯ギヤと、前記巻込み完了表示板の外周に形成されており、前記巻き上げノブが一回転するごとに前記一歯ギヤが噛合して前記巻き込み完了表示板を所定角度ずつ歩進させる歯列と、からなることを特徴とする請求項１記載のレンズ付きフイルムユニット。
【請求項３】
前記歯列は、前記フイルムロール室に収納された写真フイルムの全部をパトローネに巻き込む分の巻き上げノブの回転数の数以上の歯数となっていることを特徴とする請求項２記載のレンズ付きフイルムユニット。
【請求項４】
前記巻込み完了表示板には、前記表示位置に回転したときに、前記パトローネ収納室の上面に設けた止めピンに当接して、それ以上の歩進を阻止するためのストッパー部が設けられていることを特徴とする請求項１ないし３いずれか記載のレンズ付きフイルムユニット。
【発明の詳細な説明】
【０００１】
【発明の属する技術分野】
本発明は、レンズ付きフイルムユニットに関するものである。
【０００２】
【従来の技術】
レンズ付きフイルムユニットには、露光開口を挟んだ両側にそれぞれパトローネを収納するパトローネ収納室と未露光の写真フイルムを収納するフイルム収納室とが設けられており、撮影によりフイルム後端側の露光コマから露光を行い、撮影後のフイルム巻き上げ操作により露光済みの写真フイルムをパトローネの内部に収納する。そして、最後のコマに撮影を完了した後のフイルム巻き上げ操作によってフイルム先端部までをパトローネの内部に完全に収納できる。これにより、現像所での取り出しの際に、パトローネからフイルム先端部が飛び出ていないので、パトローネ収納室から確実に取り出すことができる。
【０００３】
【発明が解決しようとする課題】
しかしながら、現像所では、提出されたレンズ付きフイルムユニットを確認する意味で、必ずフイルム巻き上げ操作を行っている。というのは、レンズ付きフイルムユニットに露光済みの写真フイルムをパトローネに巻き込んだことを知らせる手段がなく、最後のコマに撮影を完了した後のフイルム巻き上げ操作量が足らず、フイルム先端部までをパトローネの内部に完全に収納されていない恐れがあるためである。
【０００４】
本発明は、露光済みの写真フイルムがパトローネの内部に収納したことを表示する手段を備えたレンズ付きフイルムユニットを提供することを目的とする。
【０００５】
【課題を解決するための手段】
上記目的を達成するために、本発明のレンズ付きフイルムユニットでは、ユニットの外部のうちの枚数表示窓とは異なる位置に設けた巻込み完了表示窓と；撮影済みの写真フイルムの全てをパトローネに巻き込んだ旨を前記巻込み完了表示窓に表示する表示位置と非表示位置との間で回転自在に設けられた巻込み完了表示板と；巻き上げノブの巻き上げ方向への一回転に連係して前記巻込み完了表示板を前記非表示位置から表示位置に向けて歩進させるとともに、巻き上げノブの巻き上げ方向への回転量が、フイルムロール室に収納した写真フイルムの全部をパトローネに巻き込む分の回転量に到達した時、又はその回転量を超えた時に、前記巻込み完了表示板を前記表示位置に到達させる歩進手段と；を備えたものである。歩進手段としては、巻き上げノブと一緒に回転する一歯ギヤと；前記巻込み完了表示板の外周に形成されており、巻き上げノブが一回転するごとに前記一歯ギヤが噛合して前記巻き込み完了表示板を所定角度ずつ歩進させる歯列と；から構成するのが好適である。ところで、巻込み完了表示板を一回転以上歩進させると巻込み完了の旨の表示が２度行われる。そこで、フイルムロール室に収納した写真フイルムの全部をパトローネに巻き込む分の巻き上げノブの回転数の数以上の歯数で歯列を設けるのが望ましい。さらに、表示位置に回転したときに、パトローネ収納室の上面に設けた止めピンに当接して、それ以上の歩進を阻止するストッパー部を巻込み完了表示板に設けるのが、巻き込み完了表示時に巻き上げノブの回転もロックすることができるので好適である。
【０００６】
【発明の実施の形態】
図２は、レンズ付きフイルムユニット１０の外観を示すものである。レンズ付きフイルムユニット１０は、写真フイルムパトローネや各種撮影機構が内蔵されたユニット本体１１とこれを収納する外ケース１２とから構成されている。外ケース１２は、ユニット本体１１に組み込まれた巻上げノブ１３，シャッタボタン１４、巻込み完了表示窓１５等を露呈させるような輪郭となっており、また、撮影レンズ１７，ファインダ光学１８及び枚数表示用の表示窓１９等を露出させるための穴が設けられている。
【０００７】
ユニット本体１１は、図３に示すように、本体基部２０、パトローネ付き写真フイルム２５、及び外カバーとで構成されている。外カバーは、後カバー２１と前カバー２３とから構成されている。
【０００８】
前カバー２３は、本体基部２０の前面に着脱自在に取り付けられ、本体基部２０との間で露光ユニット２２を前及び上下方向から覆う。この前カバー２３の上面には、一部を切り欠いて弾性自在に形成したシャッタボタン１４が設けられている。
【０００９】
本体基部２０には、露光開口３３を挟んだ両側に各々隙間を空けてパトローネ収納室２７とフイルムロール室２９とが一体に形成されている。パトローネ収納室２７は、パトローネ２６を収納するため部屋であり、またフイルムロール室２９は、パトローネ２６から引き出した未露光の写真フイルム２８をフイルムロールの形態で収納するための部屋である。なお、巻芯に未露光の写真フイルムを巻き付けた状態でフイルムロール室に収納してもよい。この場合には、フイルム先端が巻芯から容易に離れるようにしておく。
【００１０】
パトローネ収納室２７とフイルムロール室２９との底は開口となっており、パトローネ付き写真フイルム２５を装填した後に、後カバー２１に設けたプルトップ式の底蓋３０，３１によってそれぞれ光密に塞がれる。底蓋３０は、露光済みの写真フイルム２８を巻き込んだパトローネ２６を取り出す際の蓋である。
【００１１】
パトローネ収納室２７の上には、巻上げノブ１３が回動自在に配置されている。巻上げノブ１３には、パトローネ２６のスプール２６ｂに係合する軸が一体に形成されている。この軸は巻上げノブ１３とともにフイルム巻き上げ機構を構成している。巻上げノブ１３は、一部が後カバー２１の開口２１ａから露呈されており、この露呈された部分をフイルム巻き上げ方向（図１に示す矢印方向）に回転させることによりスプール２６ｂが回転し、撮影済みの写真フイルム２８をパトローネ２６の内部に巻き上げる。
【００１２】
巻上げノブ１３の外周には歯列１３ａが形成されている。この歯列１３ａには、本体基部２０に設けた逆止爪２０ａが係合している。逆止爪２０ａは、巻上げノブ１３がフイルム巻き上げ方向とは逆の方向に回転操作されることを禁止する。
【００１３】
写真フイルム２８は、フイルム先端とフイルム後端との間の有効露光範囲に、一方の側縁に沿って２個のパーフォレーション２８ａ，２８ｂが２種類の間隔で交互に配列されており、間隔の長いパーフォレーション２８ｂ，２８ａの間の中心が露光開口３３を通る撮影光軸１７ａに合うように１コマずつ巻き上げられて露光が行われる。
【００１４】
パトローネ収納室２７とフイルムロール室２９との間には、暗箱の一部３２が設けられている。この暗箱の一部３２の前面には、露光付与機構をユニット化した露光ユニット２２が着脱自在に取り付けられる。露光ユニット２２は、残りの分割暗箱を一体に形成したベース３７に撮影レンズ１７、フイルム巻き止め機構、シャッタ機構、フイルムカウンタ機構、及びファインダ光学２２ａ等を組み込み、上方から天板４６で押さえてユニット化した一体部品である。この露光ユニット２２を本体基部２０に取り付けることで暗箱が形成される。
【００１５】
パトローネ２６は、スプール２６ｂの回転により写真フイルム２８を送り出せる構造とされており、フイルム送出口の内部に開閉自在な蓋部材２６ａが設けられている。この蓋部材２６ａは、パトローネ２６の内部遮光用であり、この両端には、キー溝が形成されている。これらのキー溝は、スプール２６ｂの軸方向に沿った側面から外部に各々露呈されている。露光ユニット２２とパトローネ収納室２７との隙間には、現像所で行われる後カバー２１の底蓋３０を開く動作に連動して蓋部材を閉じる蓋部材閉じ機構が内蔵されている。
【００１６】
図４に示すように、蓋部材閉じ機構は、捩じりバネ６０、駆動軸６１、連結棒６２、及び後カバー２１の底蓋３０に形成された係止爪３０ａとで構成されている。駆動軸６１は、パトローネ収納室２７の上面に形成した開口２７ａを通して、パトローネ２６の蓋部材２６ａのキー溝に係合し、蓋部材２６ａを開閉する。捩じりバネ６０は、一端が本体基部２０のバネ受けに、また他端が駆動軸６１のバネ受けにそれぞれ引っ掛けられ、蓋部材２６ａが閉じ位置となる方向に向けて駆動軸６１を付勢する。
【００１７】
連結棒６２は、パトローネ収納室２７の外側で暗箱の一部３２の横に組み込まれ、上端が駆動軸６１の回転軌跡内に臨む上昇位置と回転軌跡内から退避する下降位置との間で移動自在に組み込まれる。連結棒６２の上端は、上昇位置のときに、蓋部材２６ｃを開いた位置で駆動軸６１に当接してその回転を阻止している。この上昇位置のときに連結棒６２の下端は、底蓋３０がパトローネ収納室２７の底を閉じた状態で係止爪３０ａに係合する。
【００１８】
底蓋３０を開けると、これに連動して連結棒６２が下降位置に移動し、駆動軸６１の回転軌跡内から連結棒６２の上端が退避し、駆動軸６１がバネ６０の付勢により回転する。これにより、パトローネ２６の蓋部材２６ａが開く。底蓋３０がある程度開かれると、連結棒６２の下端と係止爪３０ａとの係合が解除され、連結棒６２は下降位置の状態で保持される。
【００１９】
巻き上げノブ１３には、下面に一歯ギヤ６４が一体に形成されている。この一歯ギヤ６４は、図１にも示すように、巻込み完了表示板６５、止めピン２７ｃ、及び板バネ６６とで巻込み完了表示手段を構成している。一歯ギヤ６４は、パトローネ収納室２７の開口２７ｂからスプール２６ｂに係合するフォーク１３ｂの周りで、かつ、開口２７ｂを取り巻くように巻き上げノブ１３に一体に形成されている。この一歯ギヤ６４には、外周の一部に一歯６４ａが設けられている。
【００２０】
一歯６４ａの回転軌跡に接する位置には、巻込み完了表示板６５が配置されている。この巻込み完了表示板６５は、パトローネ収納室２７の上に設けた軸に回動自在に設けられており、上面の一部に巻込み完了の旨を表す表示６５ａが、また外周に歯列６５ｂが、さらに歯列６５ｂの一部には外周に向けて突出したストッパー部６５ｃがそれぞれ一体に設けられている。板バネ６６は、先端が巻込み完了表示板６５の歯列６５ｂに係合しており、一歯６５ａと歯列６５ｂとの噛合が解除されているときに巻込み完了表示板６５が回転しないように補助している。
【００２１】
一歯ギヤ６４は、巻き上げノブ１３が一回転するごとに、一歯６４ａが歯列６５ｂに噛合して板バネ６６の付勢に抗して巻込み完了表示板６５を所定角度ずつ歩進させ、フイルムロール室２９に収納された写真フイルム２８の全部をパトローネ２６の内部に巻き込む分だけ巻き上げノブ１３が回転操作されたときに、表示６５ａを巻込み完了表示窓１５から外部に露呈させる位置まで巻込み完了表示板６５を回転させる。
【００２２】
ストッパー部６５ｃは、表示６５ａを巻込み完了表示窓１５から外部に露呈する位置に巻込み完了表示板６５が歩進したときに、パトローネ収納室２７の上面に設けた止めピン２７ｃに当接し、巻込み完了表示板６５のこれ以上の回転を阻止する。
【００２３】
露光ユニット２２は、図５に示すように、ベース３７、間欠スプロケット３８、回転部材３９、板バネ４０、２個の捩じりバネ４１，４２、係止レバー４３、シャッタ駆動レバー４４、枚数表示板４５、及び、天板４６等でシャッタ機構、フイルム巻き止め機構、フイルムカウンタ機構などを構成している。ベース３７には、シャッタ開口が形成され、このシャッタ開口の前面にシャッタ羽根が開閉自在に組み込まれている。シャッタ羽根は引き戻しバネにより閉じ方向に付勢されており、これらを隠すようにシャッタカバー４７で覆われている。
【００２４】
ベース３７の上方右側には、対物レンズ５０と接眼レンズ４９とからなるファインダ光学１８が組み込まれている。この横の一段下がった面には、２つの軸５１，５２と軸受穴５３とがそれぞれ設けられている。軸５１には、シャッタ駆動レバー４４、捩じりバネ４１、枚数表示板４５とが順に挿入される。軸５２には、捩じりバネ４２、係止レバー４３とが順に挿入される。軸受穴５３には、回転部材３９が挿入され、この挿入した側に間欠スプロケット３８が係合する。間欠スプロケット３８は、本体基部２０の開口３４からフイルム面に向けて露呈される。
【００２５】
シャッタ駆動レバー４４は、チャージ位置とレリーズ完了位置との間で回動自在であり、捩じりバネ４１によりレリーズ完了位置に向けて付勢されている。係止レバー４３は、巻止め爪４３ｄが歯列１３ａに係合する巻き止め位置と巻止め爪４３ｄが歯列１３ａから退避する巻き止め解除位置との間で回動され、捩じりバネ４２により巻き止め位置に向けて付勢されている。
【００２６】
回転部材３９は、下から順に、一対の被押圧部５４ａからなる被押圧部５４、一対のチャージカム５５ａからなるチャージカム５５、一対の溝５６ａからなる巻止めカム５６、及び二歯ギヤ５７とがそれぞれ同軸で一体に形成されている。
【００２７】
スプロケット３８には、短い間隔で並んだ一対のパーフォレーション２８ａ，２８ｂに順次に噛合する一対の歯３８ａ，３８ｂが、円周面の回転対称の位置にそれぞれ二対突設されており、写真フイルム２８が１コマ分の長さだけ移送されることで半回転する。このスプロケット３８は、フイルム１コマ分の移送後に、一対の歯３８ａ，３８ｂのうち先頭の歯３８ｂがパーフォレーション２８ｂから外れ、後続の歯３８ａがパーフォレーション２８ａに噛合した状態で停止する。
【００２８】
シャッタ駆動レバー４４は、レリーズ完了位置の際に、立ち上がり片４４ｂが係止レバー４３に設けた立ち下がり片４３ｃに係合して係止レバー４３を巻き止め解除位置で保持する。フイルム移送に従動してスプロケット３８が反時計方向に回転すると回転部材３９も同期回転する。この回転によりチャージカム５５は、回転軌跡内に入り込んだシャッタ駆動レバー４４の一端４４ａを捩じりバネ４１の付勢に抗して押してシャッタ駆動レバー４４をチャージ位置に向けて回転させる。
【００２９】
１コマ分の長さだけ写真フイルム２８を移送する間に、シャッタ駆動レバー４４がチャージ位置に到達する。シャッタ駆動レバー４４がチャージ位置に到達すると、立ち上がり片４４ｂが立ち下がり片４３ｃの回転軌跡から退避して係止レバー４３の巻き止め解除位置での保持を解除する。これにより、係止レバー４３は捩じりバネ４２の付勢により巻き止め位置に向けて回転する。１コマ分の長さだけ写真フイルム２８が移送されると、係止レバー４３の爪部４３ｂの回転軌跡上に溝５６ａが回転してきて、爪部４３ｂが入り込む。これにより、係止レバー４３の巻き止め位置となり、スプロケット３８の回転をロックする。このとき、巻止め爪４３ｄが巻上げノブ１３の歯列１３ａに係合してフイルム巻き上げ操作を阻止する。
【００３０】
係止レバー４３が巻き止め位置に回転する途中では、立ち下がり片４３ｃがシャッタ駆動レバー４４の立ち上がり片４４ｂの回動軌跡内に入り込み、シャッタ駆動レバー４４をチャージ位置で保持する。
【００３１】
シャッタボタン１６の押下操作が行われると、係止レバー４３の立ち下がりロッド４３ａが押され、係止レバー４３が捩じりバネ４２の付勢に抗して巻き止め解除位置に向けて回転する。これにより、立ち下がり片４３ｃが立ち上がり片４４ｂの回動軌跡内から外れ、シャッタ駆動レバー４４が捩じりバネ４１の付勢によってレリーズ完了位置に向けて瞬時に回転する。この回転中に、蹴飛ばしアーム４４ｃがシャッタ羽根の一端を蹴飛ばす。シャッタ羽根は、蹴飛ばされることで軸中心にシャッタ開口を遮蔽する。その後に引き戻しバネで遮蔽位置に引き戻される。
【００３２】
シャッタ駆動レバー４４がレリーズ完了位置に回転すると、立ち上がり片４４ｂが立ち下がり片４３ｃの回動軌跡内に入り込んで、係止レバー４３を巻き止め解除位置で保持する。係止レバー４３が巻き止め解除位置の状態となると、巻止め爪４３ｄが歯列１３ａから退避し、また、爪部４３ｂが溝５６ａから抜け出している。これにより、次回のフイルム巻き上げ操作が許容される。
【００３３】
被押圧部５４ａは、スプロケット３８の間欠回転を補助する作用を行うものであり、これらは回転対称の位置にそれぞれ設けられ、この回転軌跡内には、板バネ４０の先端４０ａが入り込んでいる。板バネ４０は、被押圧部５４ａを押圧する。この押圧は、スプロケット３８の従動方向に向けて作用され、したがって、スプロケット３８の歯３８ａ，３８ｂとの間の円周面が写真フイルム２８に対峙してスリップし易い状態でも確実にスプロケット３８をフイルム移送と同じに回転させることができる。
【００３４】
二歯ギヤ５７には、枚数表示板４５の外周に形成された歯列が噛合している。したがって、スプロケット３８が半回転すると二歯ギヤ５７が枚数表示板４５を一目盛り分だけ時計方向に回転させる。枚数表示板４５の上面には、その回転ピッチに対応して枚数表示用の目盛りが設けられている。この目盛りはその時点で撮影可能なフイルム枚数、すなわち残数表示目盛りとなっているから、この目盛りを天板４６に一体に形成した拡大レンズ４６ｅを通して表示窓１９から観察することによって残りコマ数を確認することができる。そして、最後の撮影を行った後のフイルム巻き上げ操作により一目盛り分だけ歩進して表示窓１９に残りのフイルム枚数の無い旨の表示を行う。
【００３５】
最後のコマに撮影を行った後には、フイルム先端側にある短い間隔で並んだ一対のパーフォレーション２８ａ，２８ｂを無効化する必要がある。このため、枚数表示板４５の下面にカム４５ａを一体に形成している。このカム４５ａは、最後のコマに撮影を行った後のフイルム巻き上げ操作の過程で係止レバー４３に設けた立ち上がり突起４３ｅの回動軌跡内に入り込み、自身の回転と係止レバー４３の巻き止め位置への回転とを阻止する。
【００３６】
このようにされると、係止レバー４３が巻き止め解除位置でロックされるから、フイルム巻き止め機構の作動が無効化され、巻き上げノブ１３のフイルム巻き上げ方向への回転が自由となり、その後のフイルム巻き上げ操作によってフイルム先端までの全てをパトローネ２６の内部に巻き込むことができる。また、枚数表示板４５の回転ロックは、残りのフイルム枚数の無い旨の表示をした後に行われる。枚数表示板４５の回転がロックされると、回転部材３９の回転もロックされる。このとき、間欠スプロケット３８が歯３８ａ，３８ｂの間隔の長い面をフイルム通路に向けた状態となる。これにより、前記一対のパーフォレーション２８ａ，２８ｂ以降のフイルム先端部にはパーフォレーション２８が存在しないから、その後のフイルム巻き上げ操作により間欠スプロケット３８が回転せず、歯３８ａ，３８ｂが接触して写真フイルム２８にスリ傷等を生じさせることはない。
【００３７】
次に上記構成の作用を説明する。レンズ付きフイルムユニット１０の組み立て工程には、暗室で写真フイルムを装填する作業がある。この作業は、パトローネ２６から未露光の写真フイルム２８を引き出してフイルムロールを作成する。このときのパトローネ２６からの引出し量は管理されている。この引出し量は、フイルム後端部の最初のコマを露光開口３３にセットする分だけ引き出した後に、さらに１コマ分の長さだけ引き出す。このように工場で未露光の写真フイルム２８の引出し量を管理することで、フイルムロール室２９に収納された写真フイルム２８をパトローネ２６の内部に全部巻き込む分の巻き上げノブ１３の回転量を一定にすることができる。
【００３８】
作成されたフイルムロールは、フイルムロール室２９に、またパトローネ２６はパトローネ収納室２７にそれぞれ収納される。その後、後カバー２１を本体基部２０に取り付けることで写真フイルム２８が光密にされる。この本体基部２０には露光ユニット２２が取り付けられる。このとき、間欠スプロケット３８の歯３８ａ，３８ｂとの間の間隔の長い面をフイルム面に露呈した状態で取り付けることで写真フイルム２８に傷等を生じさせることはない。最後に前カバー２３を取り付けてユニット本体１１が完成する。
【００３９】
完成したユニット本体１１は、間欠スプロケット３８の歯３８ａ，３８ｂとの間の間隔の長い面をフイルム面に露呈した状態としているから、シャッタチャージ直前の状態となっている。この状態でユニット本体１１はシャッタ検査工程に搬送される。シャッタ検査工程では、先ず巻き上げノブ１３の回転操作をしないで、強制的にシャッタチャージを行う。この作業は、図３に示す後カバー２１の開口２１ｃから治具を挿入し、この治具の先端でシャッタ駆動レバー４４をチャージ位置に向けて回転させる。これにより、立ち上がり片４４ｂが立ち下がり片４３ｃの回動軌跡内から退避するため、捩じりバネ４２の付勢により係止レバー４３が巻き止め解除位置に回転したときに立ち下がり片４３ｃが立ち上がり片４４ｂの回転軌跡内に入り込んでシャッタ駆動レバー４４がチャージ位置で保持される。
【００４０】
シャッタチャージを行った後には、シャッタボタン１４を押下操作する。これによりシャッタ羽根が一往復揺動する。検査は、赤外光を撮影レンズ１７側から入射させる投光部と、シャッタ羽根で反射した光を受光する受光部とを用い、受光部で反射光の受光できない時間を測定する。このシャッタ検査に合格したユニット本体１１は、この状態のまま、外ケース１２を取り付けてレンズ付きフイルムユニット１０として出荷される。
【００４１】
ユーザーがレンズ付きフイルムユニット１０を購入すると、先ず巻き上げノブ１３を回転操作してフイルム巻き上げを行う。これにより、写真フイルム２８が巻き上げられ、フイルム後端側から最初の一対のパーフォレーション２８ａ，２８ｂが間欠スプロケット３８に到達する。これにより、板バネ４０の付勢によりスプロケット３８の先頭の歯３８ａが最初のパーフォレーション２８ａに噛合し、次に後続の歯３８ｂがパーフォレーション２８ｂに噛合する。
【００４２】
この間に、チャージカム５５ａが一端４３ｄを押圧し、シャッタ駆動レバー４４を捩じりバネ４１の付勢に抗してチャージ位置に向けて回転させる。シャッタ駆動レバー４４がチャージ位置に回転すると、係止レバー４３が捩じりバネ４２の付勢により巻き止め位置に向けて回転する。そして、１コマ分の長さだけ写真フイルム２８が移送された時点で、スプロケット３８が半回転した状態となるため、溝５６ａに爪部４３ｄが入り込んで係止レバー４３が巻き止め位置の状態となる。
【００４３】
係止レバー４３が巻き止め位置となると、スプロケット３８の回転がロックされ、且つ巻止め爪４３ｄが歯列１３ａに係合して巻上げノブ１３のフイルム巻き上げ操作を阻止する。係止レバー４３が巻き止め位置となると、立ち下がり片４３ｃが立ち上がり片４４ｂの回動軌跡内に入り込み、シャッタ駆動レバー４４がチャージ位置で保持される。そして、露光開口３３には、フイルム後端側の最初のコマがセットされている。
【００４４】
撮影は、シャッタボタン１４を押下操作する。この操作によりシャッタボタン１４の下に設けた押圧ロッド１４ａで係止レバー４３を巻き止め解除位置に向けて押圧する。これにより、立ち下がり片４３ｃが立ち上がり片４４ｂの回転軌跡から退避するため、シャッタ駆動レバー４４が捩じりバネ４１の付勢によりレリーズ完了位置に向けて瞬時に回転する。この間の回転で蹴飛ばしアーム４４ｃがシャッタ羽根の一端を蹴飛ばして露光が行われる。シャッタ駆動レバー４４がレリーズ完了位置に回転すると、立ち上がり片４４ｂが立ち下がり片４３ｃの回転軌跡内に入り込んで係止レバー４３を巻き止め解除位置に保持する。
【００４５】
以下、前述した操作を繰り返すことで、有効露光範囲のフイルム後端側のコマから順に露光が行われ、露光済みの写真フイルム２８がパトローネ２６に内部に巻き取られる。この間、巻き上げノブ１３が一回転するごとに、一歯ギヤ６４の一歯６４ａが巻込み完了表示板６５を所定角度ずつ回転させる。また、巻込み完了表示板６５は、一歯６４ａが噛合していないときに、板バネ６６の先端でその時点での回転位置が維持されており、振動等で回転位置がずれることはない。さらに、写真フイルム２８の１コマ移送ごとに二歯ギヤ５７が半回転して枚数表示板４５を一目盛り分だけ歩進させ、表示窓１９を通して外部にその時点での残りのフイルム枚数を表示している。
【００４６】
最後のコマに撮影を完了した後のフイルム巻き上げ操作により、枚数表示板４５が残りのフイルム枚数が無い旨を表示する位置に歩進する。この歩進のときに、枚数表示板４５の下面に形成した突起４５ａが係止レバー４３の突起部４３ｅに係合し、互いの回転をロックする。このようにされると、係止レバー４３が巻き止め解除位置の状態で保持され、これによりフイルム巻き止め機構が作動しないから、全部の写真フイルム２８をパトローネ２６の内部に巻き込むことができる。
【００４７】
枚数表示板４５の回転がロックされた後には、表示窓１９には残りのフイルム枚数が無い旨の表示がなされたままである。このため、この時点でフイルム巻き上げ操作を終了してしまう恐れがある。しかしながら、本実施例では、フイルムカウンタ用の表示窓１９とは別に、巻込み完了表示窓１５を備えているから、この窓１５を通してフイルム巻き込み完了の表示がなされるまでフイルム巻き上げ操作を行わせる。
【００４８】
ユーザーは、巻込み完了表示窓１５を観察しながら、フイルム巻き上げ操作を継続する。これにより、フイルム先端がパトローネ２６の内部に巻き込まれる。このとき、巻き上げノブ１３がフイルムロール室２９に収納された写真フイルム２８の全部をパトローネ２６の内部に巻き込む分の回転量となる。この回転量となった時点で、図１に示すように、一歯ギヤ６４の一歯６４ａが歯列６５ｂに噛合して巻込み完了表示板６５を所定角度だけ回転させる。この回転により、フイルム巻き込んだ旨の表示６５ａを表示窓１５を通して外部に露呈する。
【００４９】
巻込み完了表示板６５が巻込み完了を表示した位置に回転すると、ストッパー部２７ｂが止めピン２７ｃに当接する。この当接は、巻き上げノブ１３により巻込み完了表示板６５が回転される方向の反対側から行われるから、これ以降にフイルム巻き上げ操作がなされても巻込み完了の表示状態を維持したままにすることができる。しかも、巻込み完了表示板６５の回転がロックされているから、これ以降のフイルム巻き上げ操作を行おうとしても、一歯６４ａが歯列６５ｂに噛合した時点で巻き上げノブ１３の回転がロックされる。巻き上げノブ１３はフイルム巻き上げ方向とは逆の方向への回転も逆止爪２０ａで阻止されている。しかたがって、これ以降では巻き上げノブ１３が回転することはないから、巻込み完了表示窓１５を確認しなくても巻き上げノブ１３のロックによりユーザーにフイルム巻込み完了を知らせることができる。
【００５０】
レンズ付きフイルムユニット１０は、そのまま現像所に提出され、ここで底蓋３０が開かれる。この底蓋３０の開き動作に連動して蓋部材閉じ機構が作動してパトローネ２６の蓋部材２６ａが閉じられる。このとき、フイルム先端までの全部がパトローネ２６の内部に確実に巻き込まれているから、フイルム先端を蓋部材２６ａで挟み込んでフイルムに傷等を付けることや、パトローネ２６を取り出したときにフイルム先端を挟み込んだ蓋部材２６ａの隙間からパトローネ２６の内部に外光が入射して露光済みの写真フイルム２８に光被れを生じさせる等の不具合を未然に防止することができる。
【００５１】
取り出したパトローネ２６は、確実に蓋部材２６ａが閉まっているから、暗室で蓋部材２６ａを開いた後に、スプール２６ｂをフイルム送り出し方向に回転させる。これにより、写真フイルム２８がフイルム送出口から外部に送り出され、露光済みの写真フイルム２８を簡単に現像処理できる。現像した後には焼付け処理が行われて、プリント写真が得られる。現像済みの写真フイルム２８は、元のパトローネ２６に戻されてプリント写真とともにユーザーに返却される。
【００５２】
【実施例】
写真フイルム２８は、フイルムサイズごとで規定枚数が異なる。規定枚数が異なると、この枚数に応じて有効露光範囲の長さが異なる。したがって、写真フイルム２８のフイルムサイズに応じてフイルムロール室２９に収納された写真フイルム２８の全部をパトローネ２６の内部に巻き込む分の巻き上げノブ１３の回転量が異なる。また、この巻き上げノブ１３の回転量は、スプール２６ｂの巻軸径によっても変化する。
【００５３】
例えば、２５枚撮りの写真フイルム２８ではパトローネ２６から引き出す長さが１０００ｍｍとなる。そして、スプール２６ｂの巻軸の直径を１０．５ｍｍ、写真フイルム２８の厚みを０．１１５ｍｍとすると、写真フイルム２８の断面積が１０００×０．１１５ｍｍ＝１１５ｍｍ2 、全部の写真フイルム２８を巻軸に巻いたときの外径Ａを求めると、π／４（Ａ2 −１０．５2 ）＝１１５ｍｍ2 から導き、Ａ＝約１６ｍｍとなり、このときの巻き厚みＢが（１６−１０．５）／２＝２．７５ｍｍとなる。したがって、巻き厚みＢ＝２．７５ｍｍをフイルム厚み０．１１５ｍｍで割るとスプール２６ｂの巻軸に写真フイルム２８を全部巻いた巻数が「２４」となる。そこで、余裕をみて巻き上げノブ１３を「２５」回転操作したときに、巻込み完了表示板６５が表示位置に回転するようにしておく。
【００５４】
巻込み完了表示板６５は、最初の表示位置が巻込み完了窓１５から露呈しない位置にしておく必要がある。したがって、巻き込み完了表示板６５は一回転しない。そこで、巻き上げノブ１３を２５回転操作したときに巻込み完了の表示位置となるようにする場合には、歯列６５ｂを少なくとも２５歯以上にしておく必要がある。
【００５５】
規定枚数の異なる写真フイルムの場合には、歯列６５ｂの歯数を変えた巻込み完了表示板６５を使用する。他の方法としては、規定枚数の最大の写真フイルムを巻き込む分の歯数をもった巻込み完了表示板６５を共通使用し、これ以下の規定枚数の写真フイルムの場合には、スタート位置を変えることで対応してもよい。
【００５６】
上記実施形態では、スプールの回転により写真フイルムを送り出すタイプのパトローネ付き写真フイルムを内蔵しているが、本発明ではこれに限らず、周知の１３５タイプのパトローネ付き写真フイルムを用いてもよい。
【００５７】
また、上記実施形態では、写真フイルムの全部をパトローネの内部に巻き込む分の巻き上げノブの回転を利用して巻込み完了表示板を表示位置に歩進させるようにしているが、本発明ではこれに限らず、写真フイルムに当接するフイルム触知部材を設け、写真フイルムの全部がパトローネの内部に巻き込まれたときに、フイルム触知部材が移動してこの移動を利用して表示板を外部に露呈させるようにしてもよい。
【００５８】
【発明の効果】
以上説明したように、本発明のレンズ付きフイルムユニットでは、巻き上げノブの回転量が、フイルムロール室に収納した写真フイルムの全部をパトローネに巻き込む分の回転量に到達した時、又はその回転量を超えた時に、歩進手段が巻込み完了表示板を表示位置に歩進させて、巻き込み完了の旨を、枚数表示窓とは異なる位置に設けた巻込み完了表示窓に表示するようにしたから、巻き込み完了の旨を確実に知らせることができ、よって、露光済みの写真フイルムの全てがパトローネに確実に収納されているため、現像所での作業の効率が向上する。
【図面の簡単な説明】
【図１】巻込み完了表示手段の概略を示す説明図である。
【図２】レンズ付きフイルムユニットの外観を示す斜視図である。
【図３】ユニット本体の構成を示す分解斜視図である。
【図４】蓋部材閉じ機構及び巻込み完了表示手段の要部を示す斜視図である。
【図５】露光ユニットの分解斜視図である。
【符号の説明】
１３  巻き上げノブ
２７ｃ  止めピン
６４  一歯ギヤ
６４ａ  一歯
６５  巻込み完了表示板
６５ａ  巻込み完了を示す表示
６５ｂ  歯列
６５ｃ  ストッパー部
６６  板バネ
【図１】
0003727707.tif 000002
【図２】
0003727707.tif 000003
【図３】
0003727707.tif 000004
【図４】
0003727707.tif 000005
【図５】
0003727707.tif 000006